(57)【要約】      （修正有）【課題】重い荷重が負荷しても撓むことなく安定して支持でき、しかも使用条件に応じて巾を切り詰めた棚板の切断端部をスッキリした外観に納めることのできる棚板の寸法調整方法を提供する。【解決手段】前後に平行に配される一対の横枠材、及び前記横枠材に架け渡される一対の縦枠材を有した棚枠体と、該棚枠体の上面に固着される上の板材と、該棚枠体の下面に固着される下の板材とを具え、前記上下の板材の間に、ペーパーコア材を充填した棚板。および前記棚板と、巾寸法を切り詰められる棚板の切断面に装着される補助縦枠材とからなり、前記補助縦枠材は、前記横枠材間の間隔に略等しい長さＬを有するとともに上下の板材の間隔に略等しい高さＨを有することを特徴とする棚板セット部材。および前記切断部から、上下の板材間に補助縦枠材を挿入するとともに固着する補助縦枠材取付け工程とを含むことを特徴とする棚板の寸法調整方法。【選択図】  図１
2006116142.tif 000002
【特許請求の範囲】
【請求項１】
巾方向にのび、かつ前後に平行に配される一対の横枠材、及び前記横枠材の両端部間に架け渡される一対の縦枠材を有し、矩形状をなす棚枠体と、外縁部が前記棚枠体の外周部と略整一に揃い、該棚枠体の上面に固着される上の板材と、外縁部が前記棚枠体の外周部と略整一に揃い、該棚枠体の下面に固着される下の板材とを具え、
前記上下の板材の間に、ペーパーコア材を充填したことを特徴とする棚板。
【請求項２】
請求項１記載の棚板と、巾寸法を切り詰められる棚板の切断面に装着される補助縦枠材とからなり、
前記補助縦枠材は、前記横枠材間の間隔に略等しい長さＬを有するとともに上下の板材の間隔に略等しい高さＨを有することを特徴とする棚板セット部材。
【請求項３】
請求項２記載の棚板セット部材を用い、取付け箇所の条件に合った適合寸法に棚板の巾寸法を切り詰める棚板の寸法調整方法であって、
前記適合寸法に合わせて棚板を切断する切断工程と、
前記切断部から、上下の板材間に補助縦枠材を挿入するとともに固着する補助縦枠材取付け工程とを含むことを特徴とする棚板の寸法調整方法。
【請求項４】
前記補助縦枠材取付け工程において、一対の横枠材の外側面から打入される釘その他の固着具によって補助縦枠材と横枠材とを固着することを特徴とする請求項３記載の棚板の寸法調整方法。
【発明の詳細な説明】
【技術分野】
【０００１】
本発明は、押入れなどの収納部その他に設ける棚に用いられる棚板と、前記棚の構築に使用されるに棚板セット部材と、この棚板セット部材を用いて取付け箇所の条件に適合する大きさに棚板の巾寸法を切り詰める棚板の寸法調整方法に関する。
【背景技術】
【０００２】
従来収納部その他に設けられる棚は、例えば図５に示すように、巾方向にのびる一対の横枠ａ、ａと、この横枠ａ、ａの両端部間に架け渡される縦枠ｂ、ｂと、この縦枠ｂ、ｂ間に隔設される複数本の中桟ｄ、ｄ・・・とを一体化した棚枠体ｅの上下に、上の板材ｆ、下の板材ｆを添着したフラッシュ構造の棚板パネルを用いている。そしてこの棚板パネルを、押し入れの両側壁に同高さに取付けられた支持桟ｇ、ｇに載置するとともに釘その他の固着具を用いて固着して棚を形成している（例えば、特許文献１参照）。
【０００３】
このように、寸法、材質などを規格化して、木工工場で大量生産されたフラッシュ構造の棚板パネルを用いることにより、現場での加工工数を減少し、しかも見栄えが優れた棚の構築を可能としている。なお図５では、腰高に設けられた主棚と、その上方で奥行きを小さく形成された上棚とを設けた押し入れを例示している。
【０００４】
【特許文献１】特開２００２−３６４１６６号公報
【発明の開示】
【発明が解決しようとする課題】
【０００５】
しかしながら、棚枠体ｅに上下の板材ｆ、ｆを添着して形成されたフラッシュ構造の棚板パネルにおいては、例えば１８００〜２７００ｍｍ程度の大スパン間に架け渡されて大型の棚を形成した場合は、重い収納物を載置すると中央部に撓みを生じるなど棚としての強度が不足することがある。そこで中央に補強用の支柱を設けて撓み防止を図ると、該支柱が収納物の出し入れの支障となるとともに収納部の見栄えを低下させる。また、棚枠体ｅを大断面の部材で構成して剛性を高めると、棚板パネルが大型化して収納空間の容積を減じるとともに、外観を損なうという問題があった。
【０００６】
また上の板材ｆは通常３〜７ｍｍ程度の合板その他の薄板を使用するため、収納物を載置すると、該上の板材ｆが前記中桟ｄ、ｄの中間で局部的に撓んだり、気になるベコツキを生じるため、使用者が体感的な強度に対する不安感、不快感などを抱くことがある。
【０００７】
また、建築物は個別に平面プランが異なるため収納スペースも個々の建物で様々な大きさに計画され、特に省スペースのため階段下に形成される収納部においては、階段との位置関係、階段勾配などとの関係から、棚の巾寸法が千差万別に異なっている。このような巾寸法に合わせて棚板パネルを切断して使用すると、中桟ｄに沿って切断することは極めて稀であり、切断部において上下の板材ｆ、ｆ端部が支持されないため、強度を不安定化するとともに上の板材ｆにベコツキを生じる。そのため、切断部に新たな縦枠材の装着が必要となるが、現場合わせにより縦枠材を加工して棚板パネルの切断部に組みこむ作業は、熟練を要する上に時間が掛かり、作業能率を低下させている。
【０００８】
本発明の棚板は、上下の板材の間に、ペーパーコア材を充填することを基本とし、重い荷重が負荷しても撓むことなく安定して支持でき、しかも上の板材がベコツキを生じることなく使用者に体感的な不安感を与えないことを課題としている。
【０００９】
また本発明の棚板セット部材は、棚板とこの棚板の切断面に装着される補助縦枠材とからなり、使用条件に応じて巾を切り詰めた棚板の切断端部を、容易にかつスッキリした外観に納めることを課題としている。
【００１０】
また本発明の棚板の寸法調整方法は、切断工程と、補助縦枠材取付け工程とを含むことを基本とし、熟練を要することなく迅速に寸法調整でき、しかも切断部を強度低下させないことを課題としている。
【課題を解決するための手段】
【００１１】
前記目的を達成するために、請求項１に係る棚板は、巾方向にのび、かつ前後に平行に配される一対の横枠材、及び前記横枠材の両端部間に架け渡される一対の縦枠材を有し、矩形状をなす棚枠体と、外縁部が前記棚枠体の外周部と略整一に揃い、該棚枠体の上面に固着される上の板材と、外縁部が前記棚枠体の外周部と略整一に揃い、該棚枠体の下面に固着される下の板材とを具え、前記上下の板材の間に、ペーパーコア材を充填したことを特徴とする。
【００１２】
また請求項２に係る棚板セット部材は、請求項１記載の棚板と、巾寸法を切り詰められる棚板の切断面に装着される補助縦枠材とからなり、前記補助縦枠材は、前記横枠材間の間隔に略等しい長さＬを有するとともに上下の板材の間隔に略等しい高さＨを有することを特徴とする。
【００１３】
また請求項３に係る棚板の寸法調整方法は、請求項２記載の棚板セット部材を用い、取付け箇所の条件に合った適合寸法に棚板の巾寸法を切り詰める棚板の寸法調整方法であって、前記適合寸法に合わせて棚板を切断する切断工程と、前記切断部から、上下の板材間に補助縦枠材を挿入するとともに固着する補助縦枠材取付け工程とを含むことを特徴とする。
【００１４】
また請求項４に係る発明は、前記補助縦枠材取付け工程において、一対の横枠材の外側面から打入される釘その他の固着具によって補助縦枠材と横枠材とを固着することを特徴とする請求項３記載の棚板の寸法調整方法である。
【発明の効果】
【００１５】
請求項１に係る棚板は、上下の板材とペーパーコア材とが一体化して棚板として高い剛性が得られるため、たとえ長いスパン間に架け渡されても、重い収納物を撓むことなく安定して支持できる。また前記の如く、剛性が高いことから棚板の厚さを薄く形成できるため、収納空間が拡張されるとともにスリムな外観により見栄えを高めうる。しかも、上の板材がペーパーコア材とが一体化して補強されるため、収納物を載置した時、上の板材が撓んだり、気になるベコツキを生じることがなく、その結果使用者が体感的に強度に対する不安感を抱くことがない。
【００１６】
また請求項２に係る棚板セット部材は、適合寸法に切り詰めた棚板の切断端部に、補助縦枠材を装着することにより、切断部を簡単、かつ隙間なくスッキリ納めることができ、取付け箇所により様々に異なる棚板の巾寸法を、現場合わせにより容易に修正することができる。しかも棚板の切断端部は、補助縦枠材が装着されるため剛性が確保される。
【００１７】
また請求項３に係る棚板の寸法調整方法では、補助縦枠取付け工程により、切断部に補助縦枠材が装着されしかも上下の板材の間に固着されるため、切断部の強度低下がなく、安定した棚を形成できる。
【００１８】
また請求項４に係る発明では、補助縦枠材と横枠材とを固着具を用いて固着することにより補助縦枠材を含んだ新たな棚枠体が形成されるため、強度を更に高めるこができる。
【発明を実施するための最良の形態】
【００１９】
以下、本発明の実施の一形態を、図示例とともに説明する。本発明の棚板１は、図１、２に示すように、矩形状の棚枠体５と、この棚枠体５の上面に固着される上の板材６Ｕと、棚枠体５の下面に固着される下の板材６Ｄと、上下の板材の間に充填されるペーパーコア材７とを具える。
【００２０】
前記棚枠体５は、巾方向にのび、かつ前後に平行に配される一対の横枠材３、３と、この横枠材３、３の両端部間に架け渡される一対の縦枠材４、４とからなる。本形態では、縦枠材４、４が横枠材３、３の向合う内側面間に配置されることにより所謂横勝ちの枠組構成をなし、さらに横枠材３の外側面から打入される釘その他の固着具によって接合される。
【００２１】
横枠材３の長さ、即ち棚板１の巾寸法ＷＡは、例えば４５０〜２７００ｍｍ程度に形成され、縦枠材４の長さ、即ち棚板１の奥行き寸法は、例えば３００〜１２００ｍｍ程度とする。また横枠材３、および縦枠材４は、杉、松、樅、栂などの針葉樹、およびナラ、チーク、ラワンなどの広葉樹を含む木材、パーティクルボード、集成材、ＬＶＬ（単板積層材）などの木質加工材、更にはリサイクル木粉にポリプロピレン樹脂、ポリエチレン樹脂などを配合して押出、射出成形した人工木材その他を用いて形成される。
【００２２】
前記上の板材６Ｕは、外縁部が前記棚枠体の外周部と略整一に揃う矩形状をなし、棚枠体５の上面に接着、釘その他の固着具を用いて固着される。なお上の板材６Ｕはその厚さが、例えば、２〜１２ｍｍ程度の板材を用いて構成される。
【００２３】
また前記下の板材６Ｄは、上の板材６Ｕと同様、棚枠体の外周部と略整一に揃う矩形状をなし、棚枠体５の下面に固着される。下の板材６Ｄは、その厚さが例えば２〜８ｍｍ程度の板材で構成され、前記上の板材６Ｕと同厚、またはこれより薄い板材が用いられる。  
【００２４】
前記上下の板材６Ｕ、６Ｄは、合板、パーティクルボード、インシュレーションボード、ＭＤＦ（中密度繊維板）などの木質板材を用いて構成される。
【００２５】
前記ペーパーコア材７は、本形態では図４（Ａ）に示すように、平行に並んだ平面部２１、２１・・・間に波形部２２を挿入し、その接触点を接着して形成した片面ダンボール状のものが例示される。そしてこのペーパーコア材７は、前記の如く上下の板材６Ｕ、６Ｄの間に充填され、その上下端部が接着剤により各々上下の板材６Ｕ、６Ｄに固着される。その結果ペーパーコア材７が上下の板材６Ｕ、６Ｄにサンドイッチされ、かつこれを囲む前記棚枠体５とともに一体構造をなすため、棚板として高い剛性が得られ、たとえ長いスパン間に架け渡され、しかも重い収納物が載置されたとしても安定してこれを支持できる。
【００２６】
また剛性が高いことから棚板の厚さを薄く形成でき、本形態では、ペーパーコア材７は例えば１０〜２０ｍｍ程度の厚さのものが使用され、上下の板材６Ｕ、６Ｄと合わせた総厚を１４〜４０ｍｍ程度としている。このように棚板１を薄く形成できることから、収納空間を拡張できるとともに外観がスリムになり見栄えを高めうる。しかも、上の板材はペーパーコア材と一体化されて補強されるため、収納物を載置した時、上の板材が撓んだり、気になるベコツキを生じることがなく、その結果使用者が体感的に強度に対する不安感を抱くことがない。
【００２７】
ペーパーコア材７は、前記片面ダンボール状のものに限定されず、各種形状のものを用いることができる。例えば、図４（Ｂ）に示すように、正六角形のコアを規則的に連続させたハニカムコア、図４（Ｃ）に示すように、平行に並んだ平面部２１、２１・・・間に等間隔で凸凹した角波部２６を挿入し、その接触点を接着して形成した角波ダンボール状のもの、図４（Ｄ）に示すように、短円筒体２７を規則的に連続して並べて相互接着して形成した円筒コア状のものなども使用できる。
【００２８】
前記棚板１は、例えば押入れからなる収納部２３内に取付けられる場合、図１に示すように、棚板１の両端部を、両側壁２４、２４に同じ高さで固着された支持棒２９、２９上に載置するとともに、釘その他の固着具を用いて固着することにより、収納部２３に水平な棚が構築される。なお本形態の棚板１は、図１、２に示すように、下の板材６Ｄの前端部に取付溝２８を有し、この取付溝２８に化粧框２５の背部に立設された取付け片２５Ａを嵌合することにより、収納部２３内に取付けられた棚板１の前縁部に前記化粧框２５を設けることができる。
【００２９】
次に本発明の棚板セット部材２は、図２に示すように、上下の板材６Ｕ、６Ｄの間に、ペーパーコア材７を充填して構成した前記棚板１と、補助縦枠材８とからなる。この補助縦枠材８は、断面矩形状をなし、長さＬが棚板１の横枠材３、３間の間隔と略等しく、その高さＨは上下の板材６Ｕ、６Ｄの間隔と略等しく形成される。そのため、取付け条件に合わせて巾寸法を切り詰めた棚板１の切断面において、ペーパーコア材７を圧縮しながら、上下の板材６Ｕ、６Ｄの間に補助縦枠材８を圧入し、かつ一体に固着することにより、切断端部を隙間を生じることなくスッキリ収めることができ、見栄えが向上する。また前記切断端部は、補助縦枠材８により補強されるため、剛性を維持することができ、取付け箇所の条件を基に棚板１の巾寸法を現場合わせにより簡単に調整できる。
【００３０】
前記補助縦枠材８は、杉、松などの針葉樹、およびナラ、ラワンなどの広葉樹を含む木材、パーティクルボード、集成材、ＬＶＬ（単板積層材）などの木質加工材、更には人工木材その他を用いて形成される。
【００３１】
また、棚板１と補助縦枠材８とは、組合わせ部材として同梱して扱うと、物流管理の手間を省き、未送、誤送などのトラブルを防止できる点で好ましい。ただし、同梱されず、必要に応じ使用するオプション部品として、補助縦枠材８を取り扱うこともできる。
【００３２】
次に前記棚板セット部材２を用いた棚板の寸法調整方法は、切断工程と、補助縦枠材取付工程とを含み、棚板１の巾寸法を取付け箇所の条件に適合した寸法に切り詰めるために行うものである。
【００３３】
先ず切断工程では、図３（Ａ）（Ｂ）に示すように、巾寸法ＷＡを有する棚板１を、使用箇所に合う適合寸法Ｗ１の巾に短縮するため、一方の側端から切断寸法Ｗ２（＝ＷＡ−Ｗ１）の箇所を、鋸その他の切削工具を用いて切断する。なお棚板１は、棚枠体５および上下の板材６Ｕ、６Ｄは木質材で形成されるとともに、ペーパーコア材７は紙で形成されるため、棚板１の取付け現場において正確、かつ容易に切断できる。
【００３４】
次に、補助縦枠材取付け工程では、図３（Ｃ）（Ｄ）に示すように、補助縦枠材８をハンマーで叩くなどして、前記切断面に露呈するペーパーコア材７を補助縦枠材８の先端部で押圧しながら、該補助縦枠材８を上下の板材６Ｕ、６Ｄ間に圧入する。前記押圧によりペーパーコア材７が圧縮され、その結果上下の板材６Ｕ、６Ｄ間に生じる空所に補助縦枠材８が挿入される。このとき補助縦枠材８の上下面に、接着剤を塗布しておくことにより補助縦枠材８を上下の板材６Ｕ、６Ｄの間に固着する。また補助縦枠材８は、前記の如くその高さＨが上下の板材６Ｕ、６Ｄの間隔に略等しく、長さＬが棚板１の横枠材３、３間の間隔と略等しいため、板材６Ｕ、６Ｄ間に隙間なく嵌合されかつ固着される。これにより棚板１の切断端部は、一体化した補助縦枠材８により補強されて強度低下がなく、安定した棚を形成できる。
【００３５】
また本形態の補助縦枠材取付け工程では、さらに横枠材３の外側面から釘その他の固着具１０を打入することにより補助縦枠材８と横枠材３とを固着一体化する。これにより補助縦枠材を含む新たな棚枠体が形成されるため、棚板としての強度が維持され、頑丈な棚を形成することができる。
【図面の簡単な説明】
【００３６】
【図１】本発明の棚板の一実施形態を例示し、これを用いて棚を構築した状態を示す斜視図である。
【図２】本発明の棚板セット部材の一実施形態を例示する一部切欠き斜視図である。
【図３】本発明の棚板の寸法調整方法を説明し、（Ａ）（Ｂ）は切断工程、（Ｃ）（Ｄ）は補助枠材取付け工程を示す斜視図である。
【図４】（Ａ）（Ｂ）（Ｃ）（Ｄ）はペーパーコア材の各種形態を示す要部拡大図である。
【図５】従来の棚の構造を示す斜視図である。
【符号の説明】
【００３７】
１      棚板１
２      棚板セット部材２
３      横枠材
４      縦枠材
５      棚枠体
６Ｄ    板材
６Ｕ    板材
７      ペーパーコア材
８      補助縦枠材
１０      固着具
【図１】
2006116142.tif 000003
【図２】
2006116142.tif 000004
【図３】
2006116142.tif 000005
【図４】
2006116142.tif 000006
【図５】
2006116142.tif 000007